(57)【要約】      （修正有）【課題】安定した紙のピックアップが行える給紙装置を提供する。【解決手段】本給紙装置は、ベース、伝動装置、給紙トレイ１０、給紙アセンブリ２０、昇降アセンブリ３０及び制御装置を包含する。該昇降アセンブリと該給紙トレイは互いに枢接され、共同昇降を実現可能で、該給紙アセンブリはピックアップロール２２を包含し、紙のピックアップ動作を行え、該制御装置は紙センサ、フロートセンサ４２、ピックアップセンサ及び制御システムを包含する。該給紙装置はピックアップセンサがピックアップロールの下回転位置を検出し、それにより給紙トレイ上の紙の厚さを検出し、随時給紙トレイの上昇高さを調整し、給紙アセンブリのピックアップロールの安定した紙に対する押圧力を確保して紙のピックアップ動作を実行し、これによりピックアップロールが空転しピックアップできなくなる状況を防止する。【選択図】図２
0003170404.tif 000002
【実用新案登録請求の範囲】
【請求項１】
給紙装置において、
ベースと、
該ベース上に取り付けられた伝動装置と、
後端が該ベースに枢接されて、紙を載置するのに用いられる給紙トレイと、
給紙アセンブリであって、伝動装置により駆動され、固定軸により該ベース上に固定され且つ該給紙トレイの上前方に固定され、該給紙アセンブリは該固定軸の周りを小幅で上下に揺動可能なピックアップロールを包含する、上記給紙アセンブリと、
昇降アセンブリであって、該ベース上に取付けられ、並びに該伝動装置により駆動され、該給紙トレイの前端に枢接され並びに該給紙トレイ前端を駆動して共同で小幅の上下揺動可能である、上記昇降アセンブリと、
制御装置であって、制御システムと該制御システムにより制御されて該給紙トレイ上の紙の有無を検出する紙センサと、該昇降アセンブリの昇降位置を検出するフロートセンサと、該給紙アセンブリの該ピックアップロールの下揺動位置を検出する給紙センサと、を包含する、上記制御装置と、
を包含し、該制御システムが該伝動装置を制御して、該昇降アセンブリと該給紙アセンブリを駆動することを特徴とする、給紙装置。
【請求項２】
請求項１記載の給紙装置において、該紙センサは該給紙トレイ上に取付けられ、且つ該紙センサの一端は該給紙トレイの上表面上に伸出可能で、該フロートセンサは該ベース上に取付けられて、サポートフレームの一側に位置し、該給紙センサは該ベース上に取付けられ、且つ該給紙アセンブリの一側に位置することを特徴とする、給紙装置。
【請求項３】
請求項１記載の給紙装置において、該給紙トレイの前端下表面に、後端開口を具えた二つの保持室が並列に配設され、該二つの保持室内に嵌め軸が設けられ、該サポートフレームの前端が二つの該嵌め軸により、該給紙トレイの該保持室内に枢接されることを特徴とする、給紙装置。
【請求項４】
請求項１記載の給紙装置において、該昇降アセンブリは該給紙トレイの前端下方に位置し、該昇降アセンブリは歯車セット、回転軸、サポートフレームを包含し、該歯車セットは該ベース上に固定され、該回転軸の一端は該伝動装置上に固定接続され、別端は該サポートフレームの後端に通され、該サポートフレームの前端は該給紙トレイ上に枢接され、該伝動装置が該歯車セットを駆動して該回転軸を回転させることで、該サポートフレーム後端を駆動して揺動させて昇降させ、これにより該給紙トレイの前端を駆動して共同で小幅の上下揺動させることを特徴とする、給紙装置。
【請求項５】
請求項４記載の給紙装置において、該サポートフレーム後端に断面が不規則形状の嵌め孔が設けられ、該回転軸の一端の断面が該嵌め孔に対応し、該回転軸の一端が該嵌め孔内に嵌合されることを特徴とする、給紙装置。
【請求項６】
請求項１記載の給紙装置において、該ベース前端両側に、それぞれ内向きに枢接孔が設けられ、該給紙トレイの後端両側に内向きに突伸するように枢接軸が形成され、該枢接軸が該枢接孔内に枢接されることで、該給紙トレイの後端が該ベースに枢接されることを特徴とする、給紙装置。
【考案の詳細な説明】
【技術分野】
【０００１】
本考案は一種の給紙装置に係り、特に、安定した紙のピックアップが行える給紙システムに関する。
【背景技術】
【０００２】
周知の給紙機構は、給紙トレイと給紙アセンブリが給紙トレイの上方に取付けられている。給紙トレイ上には紙が置かれ、一般にはモータが給紙トレイ上の紙の厚さに応じて給紙トレイを固定高さに上昇させた後、給紙アセンブリが給紙動作を開始する。
【０００３】
ただし、該給紙機構はある時間給紙した後、紙の総高さが低くなっても、給紙トレイの上昇後の高さは不変であるため、給紙アセンブリの紙に対するピックアップ力が減り、ひいては完全に紙をピックアップできなくなる現象が形成される。
【考案の概要】
【考案が解決しようとする課題】
【０００４】
本考案の目的は、安定した紙のピックアップが行える給紙装置を提供することにある。
【課題を解決するための手段】
【０００５】
上述の目的を達成するため、本考案の給紙装置は、ベース、伝動装置、給紙トレイ、給紙アセンブリ、昇降アセンブリ及び制御装置を包含する。該伝動装置は該ベース上に取付けられる。該給紙トレイの後端は該ベース上に枢接されて紙を収容するのに用いられる。該給紙アセンブリは該伝動装置により駆動されて、固定軸により該ベース上に固定され且つ該給紙トレイの上前方に位置し、該給紙アセンブリは該固定軸の周りで小幅の上下揺動を行えるピックアップロールを包含する。該昇降アセンブリは該ベース上に取付けられ、並びに該伝動装置により駆動され、該給紙トレイの前端に枢接され並びに該給紙トレイの前端を駆動して共同で小幅の上下揺動を行える。該制御装置は制御システムと該制御システムにより制御されて該給紙トレイ上の紙の有無を検出する紙センサ、該昇降アセンブリの昇降位置を検出するフロートセンサ、及び該給紙アセンブリのピックアップロールの下揺動位置を検出するピックアップセンサを包含する。そのうち、該制御システムは該伝動装置を制御して該昇降アセンブリ及び給紙アセンブリを駆動する。
【考案の効果】
【０００６】
本考案の給紙装置は、ピックアップセンサがピックアップロールの下揺動位置を検出し、それにより給紙トレイ上の紙の厚さを検出して、随時給紙トレイの上昇高さを調整し、給紙アセンブリのピックアップロールの安定した紙に対する押圧力を確保して紙のピックアップ動作を実行し、これによりピックアップロールが空転しピックアップできなくなる状況を防止する。
【図面の簡単な説明】
【０００７】
【図１】本考案の給紙システムの立体図である。
【図２】図１の給紙システムの立体分解図である。
【図３】図１の給紙システムの別の角度の立体分解図である。
【考案を実施するための形態】
【０００８】
本考案の技術内容、構造特徴、達成する目的を詳細に説明するため、以下に実施例を挙げ並びに図面を組み合わせて説明する。
【０００９】
図１、２及び図３を参照されたい。本考案の給紙装置は、ベース（図示せず）、該ベース上に取付けられた伝動装置（図示せず）、給紙トレイ１０、制御装置、該伝動装置により駆動される給紙アセンブリ２０及び該伝動装置により駆動される昇降アセンブリ３０を包含する。給紙トレイ１０の後端は該ベースに枢接され、昇降アセンブリ３０は給紙トレイ１０の前端下方に枢接され、並びに回転して給紙トレイ１０の前端を持ち上げられる。
【００１０】
図２を参照されたい。具体的には、該ベースの前端両側にそれぞれ内向きに枢接孔５１が設けられ、該給紙トレイ１０は紙を載置するのに用いられる。給紙トレイ１０の後端両側に、内向きに突出する枢接軸１１が形成され、該枢接軸１１は枢接孔５１内に枢接され、これにより、給紙トレイ１０の後端は該ベースに枢接される。
【００１１】
続いて図１及び図２を参照されたい。給紙トレイ１０の前端下表面には後端開口を具えた二つの保持室１２が並列するように設けられ、給紙トレイ１０の上表面の一側に直立するリミット板１３が設けられ、該リミット板１３上に、給紙トレイ１０内に向けて、収容する紙の総高さを制限するリミット片１３１が凸設される。
【００１２】
図２を参照されたい。上述の給紙アセンブリ２０は伝動装置により駆動され、並びに固定軸２１によりベース上に固定され、且つ給紙トレイ１０の上前方に位置し、該給紙アセンブリ２０は固定軸２１に回転可能に接続されるピックアップロール２２を包含する。該ピックアップロール２２は一定の順方向の力で紙をピックアップし、並びに固定軸２１の周りで小幅の上限揺動可能である。
【００１３】
上述の昇降アセンブリ３０はベース上に取付けられ、給紙トレイ１０の下方に位置し、伝動装置により駆動される歯車セット３１、歯車セット３１により駆動される回転軸３２及びサポートフレーム３３を包含する。該歯車セット３１はベース上に固定され、該回転軸３２の一端は伝動装置に固定接続され、別端は該サポートフレーム３３の後端に通される。該サポートフレーム３３の前端は二つの嵌め軸３４で給紙トレイ１０の保持室１２内に枢接され、サポートフレーム３３の後端に、断面が不規則形状を呈する嵌め孔３３１が設けられ、該回転軸３２の一端の断面は、該嵌め孔３１１に対応し、該回転軸３２の一端が該嵌め孔３３１内に係止され、これにより、伝動装置が歯車セット３１を駆動して回転させ、該歯車セット３１が回転軸３２を駆動することで、サポートフレーム３３の後端を円形軌跡を描くように揺動させて昇降させ、これにより、給紙トレイ１０を駆動し共同昇降させる。
【００１４】
図２を参照されたい。該制御装置は制御システム（図示せず）及び制御システムにより制御されて給紙トレイ１０上の紙の有無を検出する紙センサ４１、昇降アセンブリ３０の位置を検出するフロートセンサ４２及び給紙アセンブリ２０の状態を検出する給紙センサ４３を包含する。該紙センサ４１は給紙トレイ１０上に取付けられ、且つその一端は給紙トレイ１０の上表面上に伸出可能である。該フロートセンサ４２は該ベース上に取付けられ、該サポートフレーム３３の一側に位置する。該給紙センサ４３は該ベース上に取付けられ、且つ給紙アセンブリ２０の一側に位置する。
【００１５】
本考案の給紙装置の動作原理は以下のとおりである。
給紙トレイ１０がサポートフレーム３３の上に搭載され、フロートセンサ４２がサポートフレーム３３の未上昇の初期状態を検出し、並びにこの検出信号を制御システムに伝送する。これは本考案の給紙装置の初期状態である。
【００１６】
給紙トレイ１０上に紙がある時、紙の押圧により紙センサ４１が紙がある状態を検出し、且つフロートセンサ４２がサポートフレーム３３部分の未上昇の初期状態を検出する時、該紙センサ４１とフロートセンサ４２は検出信号を制御システムに伝送し、制御システムが伝動装置を制御して歯車セット３１を駆動して回転させ、これにより、サポートフレーム３３を駆動して給紙トレイ１０を駆動して上昇させる。
【００１７】
給紙トレイ１０上の紙が給紙アセンブリ２０のピックアップロール２２に接触し、並びにピックアップロール２２を上昇させて固定軸２１を軸として上向きに回転させ、給紙センサ４３をトリガする。このとき、ピックアップロール２２は順方向の圧力を紙に加える。給紙センサ４３は検出信号を制御システムに送り、制御システムは歯車セット３１を制御して回転停止させ、給紙トレイ１０はそれ以上上昇しない。この時、給紙アセンブリ２０は給紙動作を開始する。
【００１８】
一部分の紙をピックアップした後、紙の総高さが下降すると、ピックアップロール２２は固定軸２１を軸として下向きに揺動し、給紙アセンブリ２０を給紙センサ４３より乖離させ、すなわち給紙センサ４３はこの検出信号を制御システムに送り、制御システムは再度伝動装置を制御して歯車セット３１を回転させ、これにより、昇降アセンブリ３０を駆動して続けて給紙トレイ１０を上昇させ、給紙アセンブリ２０に再度給紙センサ４３をトリガさせ、ピックアップロール２２がこれにより、再度一定の順方向の力で紙を押圧し、紙のピックアップ動作を行う。
【００１９】
以上の反復により、随時調節して給紙アセンブリ２０のピックアップロール２２と紙を接触させ、これにより、紙に対する押圧力を安定させて、安定したピックアップが行えるようにする。
【００２０】
給紙トレイ１０上の紙が給紙により完全に無くなると、紙センサ４１がこの検出信号を制御システムに送り、制御システムが伝動装置を制御して歯車セット３１を駆動し、給紙トレイ１０を駆動して初期状態に回復させる。
【００２１】
上述したように、本考案の給紙装置は給紙センサ４３によりピックアップロール２２の下揺動位置を検出し、これにより、給紙トレイ１０上の紙の厚さを検出し、これにより随時給紙トレイ１０の上昇高さを調整し、給紙アセンブリ２０のピックアップロール２２による紙に対する安定した押圧力を確保して安定した紙のピックアップ動作を確保し、これにより、ピックアップロールが空転し紙をピックアップできない現象を防止する。
【符号の説明】
【００２２】
１０  給紙トレイ              １１  枢接軸
１２  保持室                  １３  リミット板
１３１  リミット片            ２０  給紙アセンブリ
２１  固定軸                  ２２  ピックアップロール
３０  昇降アセンブリ          ３１  歯車セット
３２  回転軸                  ３３  サポートフレーム
３３１  嵌め孔                ３４  嵌め軸
４１  紙センサ                ４２  フロートセンサ
４３  給紙センサ              ５１  枢接孔
【図１】
0003170404.tif 000003
【図２】
0003170404.tif 000004
【図３】
0003170404.tif 000005